Podtech/llm-jp-corpus-v4-ja_patent huggingface dataset:
【手続補正書】
【提出日】平成16年4月27日(2004.4.27)
【手続補正１】
【補正対象書類名】明細書
【補正対象項目名】特許請求の範囲
【補正方法】変更
【補正の内容】
【特許請求の範囲】
【請求項１】
ディスク状記録媒体にデータを記録させる携帯型のデータ記録装置において、
筐体の内部に配設されたディスク状記録媒体にデータを記録する記録手段と、
上記筐体が受けた衝撃を検出するための加速度センサーと、
上記加速度センサーからの検出結果に基づいて所定値以上の衝撃が検出された場合に上記ディスク状記録媒体へのデータの記録を中止させるように上記記録手段を制御する制御手段と
を備えることを特徴とするデータ記録装置。
【請求項２】
上記記録手段は、衝撃の伝達を遅らせるための緩衝部材を介して筐体に設置されることを特徴とする請求項１に記載のデータ記録装置。
【請求項３】
上記制御手段は、上記加速度センサーからの検出結果に基づいて３Ｇ〜１２Ｇ以上の衝撃が検出された場合に上記ディスク状記録媒体へのデータの記録を中止させるように上記記録手段を制御することを特徴とする請求項１に記載のデータ記録装置。
【請求項４】
上記加速度センサーは、全体略長方形の板状に成形された衝撃検出板を備えてなり、上記筐体が基本姿勢で位置された場合に上記衝撃検出板の主面が３軸方向に対して略４５度の角度をなすように配設されることを特徴とする請求項１に記載のデータ記録装置。
【請求項５】
上記記録手段は、トラッキングサーボを用いないでディスク状記録媒体にデータを記録することを特徴とする請求項１に記載のデータ記録装置。
【請求項６】
ディスク状記録媒体に画像データを記録させる携帯型のカメラ装置において、
筐体の内部に配設されたディスク状記録媒体に画像データを記録する記録手段と、
上記筐体が受けた衝撃を検出するための加速度センサーと、
上記加速度センサーからの検出結果に基づいて所定値以上の衝撃が検出された場合に上記ディスク状記録媒体への画像データの記録を中止させるように上記記録手段を制御する制御手段と
を備えることを特徴とするカメラ装置。
【請求項７】
上記記録手段は、衝撃の伝達を遅らせるための緩衝部材を介して筐体に設置されることを特徴とする請求項６に記載のカメラ装置。
【請求項８】
上記制御手段は、上記加速度センサーからの検出結果に基づいて３Ｇ〜１２Ｇ以上の衝撃が検出された場合に上記ディスク状記録媒体への画像データの記録を中止させるように上記記録手段を制御することを特徴とする請求項６に記載のカメラ装置。
【請求項９】
上記加速度センサーは、全体略長方形の板状に成形された衝撃検出板を備えてなり、上記筐体が基本姿勢で位置された場合に上記衝撃検出板の主面が３軸方向に対して略４５度の角度をなすように配設されることを特徴とする請求項６に記載のカメラ装置。
【請求項１０】
上記記録手段は、トラッキングサーボを用いないでディスク状記録媒体にデータを記録することを特徴とする請求項６に記載のカメラ装置。
【手続補正２】
【補正対象書類名】明細書
【補正対象項目名】０００９
【補正方法】変更
【補正の内容】
【０００９】
【課題を解決するための手段】
本発明に係るデータ記録装置は、上述の課題を解決するため、筐体の内部に配設されたディスク状記録媒体にデータを記録する記録手段と、上記筐体が受けた衝撃を検出するための加速度センサーと、上記加速度センサーからの検出結果に基づいて所定値以上の衝撃が検出された場合に上記ディスク状記録媒体へのデータの記録を中止させるように上記記録手段を制御する制御手段とを備える。
【手続補正３】
【補正対象書類名】明細書
【補正対象項目名】００１１
【補正方法】変更
【補正の内容】
【００１１】
本発明に係るカメラ装置は、上述の課題を解決するため、筐体の内部に配設されたディスク状記録媒体にデータを記録する記録手段と、上記筐体が受けた衝撃を検出するための加速度センサーと、上記加速度センサーからの検出結果に基づいて所定値以上の衝撃が検出された場合に上記ディスク状記録媒体へのデータの記録を中止させるように上記記録手段を制御する制御手段とを備える。
【手続補正書】
【提出日】平成16年8月26日(2004.8.26)
【手続補正１】
【補正対象書類名】明細書
【補正対象項目名】０００９
【補正方法】変更
【補正の内容】
【０００９】
各ディスク１１〜１７は光学素子を保持させるための５〜８個の穴を持つ。本実施形態では６個の穴としており、この場合の光学素子の配置構成を、図６に示す。なお、各ディスクは１つの素通しの開口（０Ｄのレンズの場合も含む）を持つ。ディスク１１，１２、１３は球面レンズを保持する。ディスク１１は強度数の球面レンズ１１０を保持するものであり、開口以外の５つの穴には、−９Ｄ（Ｄはディオプタを意味し、以下同じ）、−１８Ｄ、＋９Ｄ、＋１８Ｄの球面レンズと、遮蔽板（ＢＬ）が設けられている。ディスク１２は中度数の球面レンズ１２０を保持するものであり、開口以外の５つの穴には、−１．５Ｄ、−３Ｄ、−４．５Ｄ、＋３Ｄ、＋１．５Ｄの球面レンズが設けられている。ディスク１３は弱度数の球面レンズ１３０を保持するものであり、開口以外の５つの穴には、−０．２５Ｄ、―０．５Ｄ、−０．７５Ｄ、＋０．５Ｄ、＋０．２５Ｄの球面レンズが設けられている。
【手続補正２】
【補正対象書類名】明細書
【補正対象項目名】００１９
【補正方法】変更
【補正の内容】
【００１９】
図４（ｂ）はディスク１１に保持されたプラスパワーの球面レンズ１１２を示す。プラスパワーの球面レンズでは周辺に対して中心が厚い。強度プラスパワーの球面レンズにおいて、中心の厚みｔを抑えようとすると必要とする有効径が確保できず（外周の厚さが薄くなり過ぎる場合も含む）、そのままではディスク１１により保持できなくなる。この対応として、プラス球面レンズ１１２は少なくとも視野角αの範囲で光学領域（屈折力）を確保したレンズ径とすると共に、ディスク１１の穴径に足らない部分は透明材質のホルダ１１４とし、このホルダ１１４を介してプラス球面レンズ１１２をディスク１１に保持させる。なお、これはホルダ１１４とプラス球面レンズ１１２を一体的に形成することも含む。また、ホルダ１１４とディスク１１とを透明部材で一体的にすることでも良い。プラス球面レンズの場合も厚みは３ｍｍ以下とし、好ましくは２．５ｍｍ以下にする。マイナス球面レンズについても、透明なホルダ１１４を用いた構成としても良い。
【手続補正３】
【補正対象書類名】明細書
【補正対象項目名】００３０
【補正方法】変更
【補正の内容】
【００３０】
６つの穴を持つ３枚の球面ディスクにおける球面レンズの他の配置構成を図９に示す。図９（ａ）〜（ｅ）は、強度数用の球面レンズディスク１１と中度数用の球面レンズディスク１２のレンズ構成は図６に示したものと同じであり、弱度数の球面レンズディスク１３の配置構成が異なる。レンズディスク１３のレンズ構成は、−１．２５Ｄ〜＋１．２５Ｄの間で０．２５Ｄステップ毎に変化する５個の球面レンズとしている（０Ｄは開口である）。これらは、使用頻度の高い近視用の中等度数を強度数レンズ（強度数ディスク１１に配置されたレンズ）を使用せずに生成するようにしてある。例えば、図６の場合、−５．２５Ｄまでの近視用度数がディスク１２とディスク１３の球面レンズで生成可能である（「−４．５０」＋「−０．７５」＝−５．２５Ｄ）。図９（ａ）では−５．００Ｄまで、図９（ｂ）では−５．５０Ｄまで、図９（ｃ）では−５．７５Ｄまで、図９（ｄ）では−４．７５Ｄまで、図９（ｅ）では−４．５０Ｄまでの近視用度数が、それぞれディスク１２とディスク１３の球面レンズで生成可能である。
【手続補正書】
【提出日】平成16年4月6日(2004.4.6)
【手続補正１】
【補正対象書類名】明細書
【補正対象項目名】００４６
【補正方法】変更
【補正の内容】
【００４６】
（Ｄ）結果
結果を図７に示す。
図７において、黒棒は、実施例の結果を示し、灰色棒は、ブランク（菌液のみをメンブレンフィルターに供給した場合）の結果を示す。
図７に示すように、メンブレンフィルター上に供給する試験菌量及び発光ファージ量が多い程、発光カウントが上昇した。従って、サンプル量が多いほど、ブランク値に対するＳＮ比が上がり、有利になる。本発明方法では、吸収パットの吸収量を上げる（例えば、吸収パットを大きくしたり、厚くしたり、あるいは、枚数を重ねる）ことで、大量の試験菌及び発光ファージを供給することができる優れた方法であることが判明した。
【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
左右部の肉厚が上下方向に亘って所定の割合以上に変化するよう形成された前面扉を該左右部の一方を回転軸として本体に開閉可能に取り付けてなる遊技機であって、
前記前面扉の左右部の他方の中央より上部の一部を所定の厚みの所定肉厚部として形成すると共に該所定肉厚部に該前面扉の前記本体への施錠機構の鍵操作部を取り付けたことを特徴とする遊技機。
【請求項２】
請求項１記載の遊技機であって、
前記施錠機構は、前記前面扉の左右部の他方の上下方向に配置された少なくとも２箇所の施錠部と、前記鍵操作部による施錠解除動作に連動して前記２箇所の施錠部の施錠を解除する施錠連動部とから構成されてなる遊技機。
【請求項３】
請求項１または２記載の遊技機であって、
前記所定の厚みは、他の種類の遊技機における鍵操作部の厚みである遊技機。
【請求項４】
請求項１ないし３いずれか記載の遊技機であって、
前記所定の割合は、最も厚い肉厚部の厚みが最も薄い薄肉部の厚みの１．５倍以上となる割合である遊技機。
【請求項５】
請求項１ないし４いずれか記載の遊技機であって、
前記鍵操作部は、前記前面扉の前記本体への施錠の解除動作に加え、遊技機を初期状態にリセット指示するリセット指示動作が可能に構成されてなる遊技機。
【請求項６】
請求項５記載の遊技機であって、
前記鍵操作部は、鍵を左右の一方に回転させる動作により前記施錠の解除動作を行ない、該鍵を左右の他方に回転させる動作により前記リセット指示動作を行なうよう構成されてなる遊技機。
【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
遊技媒体の貯留数を記憶する貯留数記憶手段と、
前記貯留数が通常上限値に達するまで前記遊技媒体が投入又は獲得されるごとに前記貯留数を加算する制御手段と
を備える遊技機であって、
前記制御手段は、遊技者が前記遊技媒体を投入した場合には前記通常上限値を超えて前記貯留数を加算する
遊技機。
【請求項２】
前記制御手段は、遊技者が前記遊技媒体を投入した場合には前記通常上限値を超えて前記貯留数を加算すると共に前記通常上限値を前記加算後の貯留数に変更する、
請求項１に記載の遊技機。
【請求項３】
請求項２に記載の遊技機であって、
前記貯留数記憶手段の貯留数がゼロになってから遊技がなされない状態で所定時間が経過したあとに前記通常上限値を予め定められた初期値に設定する上限値初期化手段
を備える遊技機。
【請求項４】
請求項２又は３に記載の遊技機であって、
変更した前記通常上限値を予め定められた初期値に遊技者が戻すための上限値リセット手段
を備える遊技機。
【請求項５】
前記制御手段は、遊技者が前記遊技媒体を投入した場合には前記通常上限値を超えて前記貯留数を加算するものの前記通常上限値は当初の値のまま維持する、
請求項１に記載の遊技機。
【請求項６】
前記通常上限値は、予め定められた最大上限値を超えない数値範囲内で定められており、前記制御手段は、遊技者が前記遊技媒体を投入した場合には前期最大上限値に達するまで前記貯留数を加算する、
請求項１〜５のいずれかに記載の遊技機。
【手続補正２】
【補正対象書類名】明細書
【補正対象項目名】００１７
【補正方法】変更
【補正の内容】
【００１７】
手段１１．手段１〜１０いずれかの遊技機であって、変更した前記通常上限値を予め定められた初期値に遊技者が戻すための上限値リセット手段を備える遊技機。こうすれば、遊技者が間違って変更した通常上限値を初期化することができ、新たに通常上限値を遊技者の好みの値に変更しやすい。
【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
複数の回胴を回転させたあと停止させることにより遊技を行い、停止したときの回胴位置に応じて遊技媒体の払出を行う遊技機において、
前記遊技媒体が払い出される払出期間を利用して所定の演出を行う演出実行手段
を備えた遊技機。
【請求項２】
前記演出実行手段は、前記払出期間の一部又は全部を利用して前記所定の演出を行う、請求項１に記載の遊技機。
【請求項３】
前記演出実行手段は、前記払出期間が終了したときに前記所定の演出を終了する、請求項１又は２に記載の遊技機。
【請求項４】
前記演出実行手段は、前記払出期間が終了したあとも前記所定の演出を行う、請求項１又は２に記載の遊技機。
【請求項５】
前記所定の演出は、遊技者に有利となる付加価値を与えるか否かの抽選のための演出であり遊技者に成功・不成功が理解され得るゲームの演出であって、成功を収めたときに前記付加価値を遊技者に与える、請求項１〜４のいずれかに記載の遊技機。
【請求項６】
請求項１〜５のいずれかに記載の遊技機であって、
遊技者の操作により前記所定の演出をキャンセルする演出中止手段と、
前記演出中止手段によって前記所定の演出がキャンセルされたときに前記所定の演出を終了して演出結果を遊技者に伝える演出結果伝達手段と
を備えた遊技機。
【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
複数の回転体を回転させたあと停止させることにより遊技を行い、停止位置に応じて遊技媒体の払出を行う遊技機において、
遊技を開始してから所定時間が経過したあとに次の遊技の開始を許容する時間処理手段と、
遊技状況に応じて前記所定時間を変更する時間変更手段と
を備えた遊技機。
【請求項２】
前記時間変更手段は、前記遊技媒体の払出数に応じて前記所定時間を変更する、請求項１に記載の遊技機。
【請求項３】
前記時間変更手段は、遊技媒体を大量獲得できる期間中における遊技であって所定の停止位置となるように狙って回転中の回転体を停止させる遊技のときには、前記所定時間を通常より長くする、請求項１又は２に記載の遊技機。
【請求項４】
前記時間変更手段は、遊技媒体の払出を受けられる遊技結果が複数種類存在する遊技のときには、前記所定時間を通常より長くする、請求項１〜３のいずれかに記載の遊技機。
【請求項５】
前記時間変更手段は、所定の停止位置となるように狙う必要のない遊技のときには、前記所定時間を通常と同じにするか又は通常より短くする、請求項１〜４のいずれかに記載の遊技機。
【請求項６】
前記時間変更手段は、遊技媒体の払出を受けられる遊技結果が１種類だけ存在する遊技のときには、前記所定時間を通常と同じにするか又は通常より短くする、請求項１〜５のいずれかの遊技機。
【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
複数の回転体を回転させたあと遊技者のストップボタン操作に応じて停止させることにより遊技を行い、停止位置に応じて遊技媒体の払出を行う遊技機において、
前記遊技の制御を行うと共に前記停止位置に応じて払出要求を出力する遊技制御手段と、
前記遊技制御手段からの払出要求を入力して前記遊技媒体の払出を行う払出制御手段と
が個別に設けられた遊技機。
【請求項２】
請求項１記載の遊技機であって、
カードにより遊技媒体の貸出を受け付けて貸出指令を出力する遊技媒体貸出手段を備え、前記払出制御手段は、前記遊技媒体貸出手段からの貸出指令を入力して前記遊技媒体の払出を行う遊技機。
【請求項３】
前記遊技制御手段は、遊技が開始してから所定時間が経過したあとに次の遊技の開始を許容するが、遊技状況に応じて前記所定時間を変更する、請求項１又は２に記載の遊技機。
【請求項４】
前記遊技制御手段は、遊技が開始してから所定時間が経過したあとに次の遊技の開始を許容するが、遊技媒体の払出数に応じて前記所定時間を変更する、請求項１〜３のいずれかに記載の遊技機。
【請求項５】
前記遊技制御手段は、前記遊技媒体の払出数の貯留数が所定数を越えたときには、前記所定時間を通常より長くする、請求項３又は４に記載の遊技機。
【請求項６】
前記遊技制御手段は、遊技媒体の払出を受けられる遊技結果が複数種類存在する遊技のときには、前記所定時間を通常より長くする、請求項１〜５のいずれかに記載の遊技機。
【請求項７】
前記遊技制御手段は、所定の回胴位置となるように狙う必要のない所定遊技を実行するときには、前記所定時間を通常と同じにするか又は通常より短くする、請求項１〜６のいずれかに記載の遊技機。
【請求項８】
前記遊技制御手段は、遊技媒体の払出を受けられる遊技結果が１種類だけ存在する遊技のときには、前記所定時間を通常と同じにするか又は通常より短くする、請求項１〜７のいずれかに記載の遊技機。
【手続補正書】
【提出日】平成17年7月14日(2005.7.14)
【手続補正１】
【補正対象書類名】明細書
【補正対象項目名】特許請求の範囲
【補正方法】変更
【補正の内容】
【特許請求の範囲】
【請求項１】
第１の所定の面積の受信開口（１４）を提供する超音波受信器ユニットと、第２の所定の面積の送信開口を持つ超音波送信器ユニット（１８）であって、当該超音波送信器ユニットは、前記受信開口へ超音波を差し向けるために、測定領域をはさんで前記超音波受信器ユニット（２０）と対向して位置決めされており、当該超音波送信器ユニッは更に、前記送信開口の第１及び第２の部分（２４、２６）から超音波を独立に送信する手段を含んでいる、当該超音波送信器ユニット（１８）と、前記超音波送信器ユニットと連絡して、画像及び計量データを作成するために（ａ）前記送信開口の第１の部分のみから、及び（ｂ）前記送信開口の第１及び第２の部分の両方から、超音波を交互に送信させる制御器（４８）と、有する撮像／計量用超音波装置（１０）。
【請求項２】
前記画像データは、前記送信開口の第１及び第２の部分の両方からの送信中に前記超音波受信器ユニットによって収集される音波から作成され、また前記計量データは、前記送信開口の第１の部分のみからの送信中に前記超音波受信器ユニットによって収集される音波から求められる、請求項１記載の撮像／計量用超音波装置。
【請求項３】
前記画像データは、前記送信開口の第１及び第２の部分の両方からの同時の送信中、及び前記送信開口の第１の部分のみからの送信中に、前記超音波受信器ユニットによって収集される音波から作成され、また前記計量データは、前記送信開口の第１の部分のみからの送信中に前記超音波受信器ユニットによって収集される音波から求められる、請求項１記載の撮像／計量用超音波装置。
【請求項４】
前記画像データは、前記送信開口の第１及び第２の部分の両方からの送信中に前記超音波受信器ユニットによって収集される音波から作成され、また前記計量データは、前記送信開口の第１の部分のみからの送信中、及び前記送信開口の第２の部分のみからの送信中に、前記超音波受信器ユニットによって収集される音波から求められる、請求項１記載の撮像／計量用超音波装置。
【請求項５】
前記超音波送信器ユニットは円形送信開口を有しており、前記送信開口の第１及び第２の部分から超音波を独立に送信する前記手段は電気的に別個の円形トランスジューサ及び同軸の環状トランスジューサを有している、請求項１記載の撮像／計量用超音波装置。
【請求項６】
前記円形トランスジューサは１インチにほぼ等しい直径を持つ、請求項５記載の撮像／計量用超音波装置。
【請求項７】
前記超音波受信器ユニットは受信素子の配列体を含んでいる、請求項１記載の撮像／計量用超音波装置。
【請求項８】
前記制御器は、前記超音波受信器ユニットと連絡して、（ａ）超音波が前記送信開口の第１の部分のみから送信されているとき、前記受信開口の第１の部分のみにより超音波を検出すること、及び（ｂ）超音波が前記送信開口の第１及び第２の部分の両方から送信されているとき、前記受信開口の第１及び第２の部分の両方により超音波を検出すること、を逐次的に又は組み合わせて行う、請求項１記載の撮像／計量用超音波装置。
【請求項９】
前記超音波装置は更にディスプレイ（１６）を含み、前記制御器は内蔵プログラムを実行して、前記受信開口の第１及び第２の部分の両方による超音波の受信中に収集されるデータから前記ディスプレイへの画像を出力すると共に、前記受信開口の第１の部分のみによる超音波の受信中に収集されるデータから前記ディスプレイへの計量骨質測定値を出力する、請求項８記載の撮像／計量用超音波装置。
【請求項１０】
前記送信開口はほぼ前記受信開口に等しい、請求項１記載の撮像／計量用超音波装置。
【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】
一端側が支持架台に回転可能に支承された円筒状の回転体と、回転軸を有する回転陽極を備えたＸ線管であり、前記回転体の回転中心軸と前記回転軸とが平行になるように前記回転体の外周上に搭載されたＸ線管と、前記回転陽極Ｘ線管の回転陽極より発生したＸ線ビームを絞るコリメータと、前記回転陽極Ｘ線管で発生し前記コリメータで絞られたＸ線ビームを検出するＸ線検出器と、を備えたＸ線ＣＴ装置であって、前記回転陽極の前記回転軸が前記回転体の支承部側で前記回転体に支持されることを特徴とするＸ線ＣＴ装置。
【請求項２】
前記回転陽極を、ほぼ逆Ｌ字形に形成されたブラケットにより支持してなる請求項１に記載のＸ線ＣＴ装置。
【手続補正２】
【補正対象書類名】明細書
【補正対象項目名】０００９
【補正方法】変更
【補正の内容】
【０００９】
【課題を解決するための手段】
前記目的を達成するため、本発明のＸ線ＣＴ装置は、一端側が支持架台に回転可能に支承された円筒状の回転体と、回転軸を有する回転陽極を備えたＸ線管であり、前記回転体の回転中心軸と前記回転軸とが平行になるように前記回転体の外周上に搭載されたＸ線管と、前記回転陽極Ｘ線管の回転陽極より発生したＸ線ビームを前記回転軸方向に絞るコリメータと、前記回転陽極Ｘ線管で発生し前記コリメータで絞られたＸ線ビームを検出するＸ線検出器と、を備えており、前記回転陽極の前記回転軸が前記回転体の支承部側で前記回転体に片持支持されることを特徴とする。
また、前記回転陽極を、ほぼ逆Ｌ字形に形成されたブラケットにより支持したことを特徴とする。
【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】
被検体に静磁場及び傾斜磁場を与える磁場発生手段と、上記被検体を構成する原子の核スピンに核磁気共鳴を起こさせるために高周波パルスを照射する送信系と、核磁気共鳴により放出されるエコー信号を検出する受信系と、この受信系で検出したエコー信号を用いて画像再構成演算を行う信号処理系とを備えた磁気共鳴イメージング装置において、
前記磁場発生手段が、再収束用高周波パルスの中心（ピーク）位置に関して、互いに軸対称な２つの双極性スライス傾斜磁場を印加することを特徴とする磁気共鳴イメージング装置。
【請求項２】
請求項１に記載の磁気共鳴イメージング装置において、前記磁場発生手段は、前記双極性スライス傾斜磁場として、それぞれの印加時間が同一で強度比が−１：３：３：−１の連続する４個のパルスからなるスライスリフェイズパルスを印加することを特徴とする磁気共鳴イメージング装置。
【請求項３】
請求項２に記載の磁気共鳴イメージング装置において、関心がある領域の核スピンに印加する前記再収束用高周波パルス及びそれに伴いスライス方向に印加される前記スライスリフェズパルスを連続的に複数印加し、それらに対応する横磁化を再収束させて複数のエコー信号を生じさせるようにしたことを特徴とする磁気共鳴イメージング装置。
【手続補正２】
【補正対象書類名】明細書
【補正対象項目名】００１３
【補正方法】変更
【補正の内容】
【００１３】
【課題を解決するための手段】
本発明の磁気共鳴イメージング装置の第１の特徴は、被検体に静磁場及び傾斜磁場を与える磁場発生手段と、上記被検体を構成する原子の核スピンに核磁気共鳴を起こさせるために高周波パルスを照射する送信系と、核磁気共鳴により放出されるエコー信号を検出する受信系と、この受信系で検出したエコー信号を用いて画像再構成演算を行う信号処理系とを備えた磁気共鳴イメージング装置において、前記磁場発生手段が、再収束用高周波パルスの中心（ピーク）位置に関して、互いに軸対称な２つの双極性スライス傾斜磁場を印加することにある。この発明は、パルス系列のスライス方向に傾斜磁場パルスを付加し、スライス方向に運動する核スピンの位相変化の速度項と加速度項を取得するエコー信号の中心で補償するものである。傾斜磁場パルスは、それぞれの印加時間τが同一で符号付き強度比は再収束用高周波パルス（ＲＦ再収束パルス）を中心（ピーク）位置として、互いに軸対称（左右対称）な２つの双極性スライス傾斜磁場である。
【手続補正３】
【補正対象書類名】明細書
【補正対象項目名】００１４
【補正方法】変更
【補正の内容】
【００１４】
本発明の磁気共鳴イメージング装置の第２の特徴は、前記第１の特徴に記載の磁気共鳴イメージング装置において、前記磁場発生手段が、前記双極性スライス傾斜磁場として、それぞれの印加時間が同一で強度比が−１：３：３：−１の連続する４個のパルスからなるスライスリフェイズパルスを印加することにある。この発明は、パルス系列のスライス方向に傾斜磁場パルスを付加し、スライス方向に運動する核スピンの位相変化の速度項と加速度項を取得するエコー信号の中心で補償するものである。付加された傾斜磁場パルスとスライス選択傾斜磁場パルスは、図４に示すように４個の傾斜磁場パルス４１  ４２、４３、４４が連続して印加されたものと考えることができ、それぞれの傾斜磁場パルスの印加時間τは同一で符号付き強度比は−１：３：３：−１となっており、再収束用の高周波パルス（ＲＦ再収束パルス）４０を中心として左右対称な形状である。以下、これらの４個の連続して印加される傾斜磁場パルス群４５がスライスリフェイズパルスである。このスライスリフェイズパルス４５は、ＲＦ再収束パルス４０により核スピンの位相（の符号）が反転するため、その強度比は、−１：３：−３：１となり、スライスリフェイズパルス４５の傾斜磁場パルス４３，４４が反転した形状となる。それぞれ同一の印加時間で、−１：３：−３：ｌの強度比の傾斜磁場パルスを連続して印加することによって、運動する核スピンの傾斜磁場パルスによる位相変化の加速度項を補償することができることは、例えば、「ＭＲＩ「再」入門」（荒木力著南江堂ｐ．２３４）などに記載されている。本発明はこのような現象を前述のスライスリフェイズパルス４５とＲＦ再収束パルス４０とによって形成することを見いだし、それをパルスシーケンスに応用したものである。
【手続補正４】
【補正対象書類名】明細書
【補正対象項目名】００１７
【補正方法】変更
【補正の内容】
【００１７】
本発明の磁気共鳴イメージング装置の第３の特徴は、前記第２の特徴に記載の磁気共鳴イメージング装置において、関心がある領域の核スピンに印加する前記再収束用高周波パルス及びそれに伴いスライス方向に印加される前記スライスリフェズパルスを連続的に複数印加し、それらに対応する横磁化を再収束させて複数のエコー信号を生じさせるようにしたものである。これは、ＲＦ再収束パルスを複数にしそれに伴い傾斜磁場パルスの印加方法も変更することによりパルス系列を高速スピンエコー法としたものである。運動する核スピンの速度のスライス方向成分は、励起された核スピンのうち実効的エコー時間ＴＥｅｆｆ（位相エンコード傾斜磁場パルスの大きさが零の場合のエコー時間）の時点で一定のスライス厚を持つスライス面から流れにより抜け出てしまう核スピンの割合が大きくない程度と仮定できる。核スピンの加速度も同様に仮定することができる。これによって、高速スピンエコー法の場合にもスライス方向に運動する核スピンの位相変化の速度項と加速度項を取得するエコー中心で補償することができる。
【手続補正書】
【提出日】平成17年8月11日(2005.8.11)
【手続補正１】
【補正対象書類名】明細書
【補正対象項目名】特許請求の範囲
【補正方法】変更
【補正の内容】
【特許請求の範囲】
【請求項１】
時間と共に変形し得る３次元空間に広がる臓器の３次元変形を、該臓器上の点を表し、且つ該臓器の変形の区別し得る時刻に対応する少なくとも２つのデータ・セットから得る方法であって、
前記データ・セットのうちの１つにおいて、別のデータ・セットの点との対応が既知である前記臓器の複数の点（選択と呼ぶ）を決定する工程と、
前記３次元空間において互いに垂直な少なくとも２つの面と、該面上での前記臓器の変形の未知のパラメータを有する前記面上の明確な式とを定義する工程と、
前記選択における点に対する既知の対応を用いて、前記面のそれぞれの上の前記明確な式のそれぞれに対する前記未知のパラメータを計算する工程と、
互いに垂直な前記面上の明確な式の空間的重み付けを用いて、前記臓器の前記複数の点に対して前記面上の既知の変形の明確な式を外挿する工程と、を有することを特徴とする方法。
【請求項２】
請求項１記載の方法であって、
前記選択は、一データ・セットにおける点と別のデータ・セットにおける点との間の対応を決定する反復アルゴリズムによりその対応が既知である複数の点であることを特徴とする方法。
【請求項３】
請求項１記載の方法であって、
前記選択は、臓器取得技術によって定義された取得面に属する複数の点であり、
前記明確な式は、前記取得面上に定義される、ことを特徴とする方法。
【請求項４】
請求項１又は３記載の方法であって、
前記臓器は、空間的磁気共鳴変調によってマークされ、
このマーキングは、前記臓器の変形に追随して変形すると共に、一データ・セットから別のデータ・セットへ配置され得る前記マーキングの点が存在するように存在し、
前記選択は、前記配置可能な点を含む、ことを特徴とする方法。
【請求項５】
臓器の上の点を表す少なくとも２セットのデータ・セットを用いることが意図された、データを受信又は生成する手段を有する機器であり、
前記臓器は、経時変形し得ると共に、該臓器の３次元変形を得ることに鑑み、３次元空間に広がり、
前記データ・セットは前記臓器の変形中の区別し得る瞬間に対応する、機器であって、
前記データ・セットのそれぞれの中でその位置が定義された前記臓器の複数の点（選択と呼ぶ）を決定する手段と、
前記３次元空間において一部は互いに平行で残りはそれらに垂直な面と、該面上の変形の未知のパラメータを有する明確な式とを定義する手段と、
前記選択を用いて、前記面のそれぞれに対する前記未知のパラメータを計算する手段と、
前記臓器の前すべての点に対して、前記面上の既知の変形の明確な式を外挿する手段と、を有することを特徴とする機器。
【請求項６】
請求項５記載の機器であって、
反復アルゴリズムを用いて、一データ・セットにおける点と別のデータ・セットにおける点との間の対応を前記選択を定義した点について決定する手段を有することを特徴とする機器。
【請求項７】
請求項５記載の機器であって、
臓器取得技術が取得面に属する点の形をしたデータを受信又は生成することを可能にし、
前記明確な式は、前記取得面上に定義される、ことを特徴とする機器。
【請求項８】
請求項５又は７記載の機器であって、
前記臓器は、空間的磁気共鳴変調によってマークされ、
このマーキングは、前記臓器の変形に追随しながら変形すると共に、一データ・セットから別のデータ・セットへ配置され得る前記マーキングの点が存在するように存在し
前記選択は、前記配置可能な点を含む、ことを特徴とする機器。
【請求項９】
請求項５乃至８のいずれか一項記載の画像処理機器であって、
前記臓器の変形における区別し得る瞬間に対応する複数のデータ・セットについて、請求項１乃至４のいずれか一項に２つのデータ・セットについて記載された方法を繰り返す手段を更に有することを特徴とする画像処理機器。
【請求項１０】
コンピュータ上で実行されたときに、請求項１乃至４のいずれか一項記載の方法の工程を実行するためのプログラム・コード部分／手段／命令を含むコンピュータ・プログラム。
【手続補正書】
【提出日】平成16年10月21日(2004.10.21)
【手続補正１】
【補正対象書類名】明細書
【補正対象項目名】請求項１０
【補正方法】変更
【補正の内容】
【請求項１０】
前記金属製環状シール部材は、シール部材の内面上部側より内方に延びる第１のハウジング形成部材用リブとシール部材の内面下部側より内方に延びる第２のハウジング形成部材用リブとを備え、前記第１のハウジング形成部材は、前記シール部材の第１のハウジング形成部材用リブを収容するために第１のハウジング形成部材側凹部を備え、前記第２のハウジング形成部材は、前記シール部材の第２のハウジング形成部材用リブを収容するために第２ハウジング形成部材側凹部を備えており、前記金属製環状シール部材は、前記第１のハウジング形成部材と前記第２のハウジング形成部材との組み合わせ時において、前記押圧部により押しつぶされることによる該押圧部より内側部分の変形により前記突合線部分の外面に液密かつ気密に密着するとともに、前記シール部材の前記第１のハウジング形成部材用リブは前記第１のハウジング形成部材側凹部に収納され、前記シール部材の第２のハウジング形成部材用リブは前記第２のハウジング形成部材側凹部に収納されている請求項７ないし９のいずれかに記載の遠心式液体ポンプ。
【手続補正２】
【補正対象書類名】明細書
【補正対象項目名】０００９
【補正方法】変更
【補正の内容】
【０００９】
（８）  前記第１のハウジング形成部材は、前記環状シール部材の上方部分を収納可能な第１のハウジング形成部材側環状シール部材収納溝を備え、前記第２のハウジング形成部材は、前記環状シール部材の下方部分を収納可能な第２のハウジング形成部材側環状シール部材収納溝を備えるとともに、前記第１のハウジング形成部材と前記第２のハウジング形成部材を組み合わせることにより第１のハウジング形成部材側環状シール部材収納溝と前記第２のハウジング形成部材側環状シール部材収納溝により環状シール部材収納部を形成しているものである上記（７）に記載の遠心式液体ポンプ。
（９）  前記インペラは、内部に磁性体を備え、前記遠心式液体ポンプは、前記インペラの磁性体を吸引するための磁石を備えるロータと、該ロータを回転させるモータを備えるインペラ回転トルク発生部と、前記インペラを吸引するための電磁石を備えるインペラ位置制御部を備えている上記（７）または（８）に記載の遠心式液体ポンプ。
（１０）  前記金属製環状シール部材は、シール部材の内面上部側より内方に延びる第１のハウジング形成部材用リブとシール部材の内面下部側より内方に延びる第２のハウジング形成部材用リブとを備え、前記第１のハウジング形成部材は、前記シール部材の第１のハウジング形成部材用リブを収容するために第１のハウジング形成部材側凹部を備え、前記第２のハウジング形成部材は、前記シール部材の第２のハウジング形成部材用リブを収容するために第２ハウジング形成部材側凹部を備えており、前記金属製環状シール部材は、前記第１のハウジング形成部材と前記第２のハウジング形成部材との組み合わせ時において、前記押圧部により押しつぶされることによる該押圧部より内側部分の変形により前記突合線部分の外面に液密かつ気密に密着するとともに、前記シール部材の前記第１のハウジング形成部材用リブは前記第１のハウジング形成部材側凹部に収納され、前記シール部材の第２のハウジング形成部材用リブは前記第２のハウジング形成部材側凹部に収納されている上記（７）ないし（９）のいずれかに記載の遠心式液体ポンプ。
【手続補正書】
【提出日】平成17年2月17日(2005.2.17)
【手続補正１】
【補正対象書類名】明細書
【補正対象項目名】請求項１４
【補正方法】変更
【補正の内容】
【請求項１４】
前記の保水ゲル層に用いる水溶性高分子が、ポリアクリル酸、ポリアクリル酸の塩類、ポリグルタミン酸、ポリグルタミン酸の塩類、ポリアクリル酸の部分中和物、ポリグルタミン酸の部分中和物、グルコマンナン、ローカストビーンガム、タマリンドガム、ポリビニルアルコール、ゼラチン、カルボキシメチルセルロースナトリウム、カラギーナン、アルギン酸ナトリウム、カルボキシビニルポリマ及びグラフト澱粉からなる群から選択される１つ又は２つ以上の混合物からなることを特徴とする請求項１〜１３の何れか１項に記載した携帯型温熱パッド。
【手続補正２】
【補正対象書類名】明細書
【補正対象項目名】００２７
【補正方法】変更
【補正の内容】
【００２７】
そして、上記の水溶性高分子としては、ポリアクリル酸、ポリアクリル酸の塩類、ポリグルタミン酸、ポリグルタミン酸の塩類、ポリアクリル酸の部分中和物、ポリグルタミン酸の部分中和物、グルコマンナン、ローカストビーンガム、タマリンドガム、ポリビニルアルコール、ゼラチン、カルボキシメチルセルロースナトリウム、カラギーナン、アルギン酸ナトリウム、カルボキシビニルポリマ、グラフト澱粉等が好ましいものとして挙げられるが、これらに限定されるものではない。
【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】
識別情報を変動表示可能な可変表示手段を備え、
前記起因に基づいて抽選を行い、その抽選結果に基づいて遊技者に有利な特別遊技状態を導出するか否かを判定するとともに、前記可変表示手段にて確定停止表示されるべき識別情報を決定するよう構成されてなる遊技機であって、
少なくとも前記特別遊技状態開始までは前記決定された識別情報を教示することなく、特別遊技状態中又は特別遊技状態終了後に前記決定された識別情報又は該識別情報に関する情報を教示可能としたことを特徴とする遊技機。
【請求項２】
遊技媒体の挙動に起因して識別情報を変動表示可能な可変表示手段を備え、
前記起因に基づいて抽選を行い、その抽選結果に基づいて遊技者に有利な特別遊技状態を導出するか否かを判定するとともに、前記可変表示手段にて確定停止表示されるべき識別情報を決定するよう構成されてなる遊技機であって、
少なくとも前記特別遊技状態開始までは前記決定された識別情報の教示を禁止するとともに、特別遊技状態中又は特別遊技状態終了後に前記決定された識別情報を確定停止表示するようにしたことを特徴とする遊技機。
【請求項３】
遊技媒体の挙動に起因して抽選を行い、その抽選結果に基づいて遊技者に有利な特別遊技状態を導出するか否かを判定する判定手段と、
前記判定手段にて特別遊技状態を導出する旨が判定された場合には、当該特別遊技状態を導出する特別遊技状態導出手段と
を備え、前記特別遊技状態終了後に通常モード又はそれよりも価値のある特別モードを付与するべく、遊技モードを決定づけ、その結果を導出可能に構成された遊技機において、
少なくとも前記特別遊技状態開始までは前記決定された遊技モードを教示することなく、特別遊技状態中又は特別遊技状態終了後に前記決定された遊技モードを教示可能としたことを特徴とする遊技機。
【請求項４】
遊技媒体の挙動に起因して識別情報を変動表示可能な可変表示手段を備え、
前記起因に基づいて抽選を行い、その抽選結果に基づいて遊技者に有利な特別遊技状態を導出するか否かを判定するとともに、前記可変表示手段にて確定停止表示されるべき識別情報を決定するよう構成し、前記特別遊技状態終了後における遊技モードとして通常モード又はそれよりも価値のある特別モードを付与するべく、遊技モードを決定づけ、その結果を少なくとも前記可変表示手段にて確定停止表示される識別情報に反映可能に構成された遊技機であって、
少なくとも前記特別遊技状態開始までは前記決定された遊技モードを教示することなく、特別遊技状態中又は特別遊技状態終了後に前記決定された遊技モードを教示可能としたことを特徴とする遊技機。
【請求項５】
遊技媒体の挙動に起因して識別情報を変動表示可能な可変表示手段を備え、
前記起因に基づいて抽選を行い、その抽選結果に基づいて遊技者に有利な特別遊技状態を導出するか否かを判定するとともに、前記可変表示手段にて確定停止表示されるべき識別情報を決定するよう構成し、前記決定された識別情報の種別に応じて前記特別遊技状態終了後における遊技モードとして通常モード又はそれよりも価値のある特別モードが付与されるよう構成された遊技機であって、
少なくとも前記特別遊技状態開始までは前記決定された識別情報を教示することなく、特別遊技状態中又は特別遊技状態終了後に前記決定された識別情報を確定停止表示するようにしたことを特徴とする遊技機。
【手続補正書】
【提出日】平成16年8月5日(2004.8.5)
【手続補正１】
【補正対象書類名】明細書
【補正対象項目名】００２５
【補正方法】変更
【補正の内容】
【００２５】
本実施例では、前記可動体は、前記シーソー部材と連繋して略直立状態まで回動されるようにしたが、その他所要の角度まで回動されるようにしても良く、その際に、前記規制部材とスライダとを当接して慣性による回動を防ぐようにしても良い。また、前記可動体を左右方向に回動するようにしたが、前記シーソー部材と可動体を連繋する動力伝達手段の構成を変更することで、前方向上下や下方向左右の回動、縦・横等の直線運動、その他の動作をさせ得る。例えば、縦または横等にスライド可能に構成したラックに可動体を固定し、前記回転歯車と噛合させることで、前記シーソー部材の傾動と連繋して可動体は直線動し得るようになる。更に、前記動力伝達手段として歯車を使用するようにしたが、これに限られるものではなく、例えばリンク機構やその他従来公知の動力伝達手段を用いて、シーソー部材の回動と可動体の動作とを連繋させることも可能である。
【手続補正書】
【提出日】平成16年8月5日(2004.8.5)
【手続補正１】
【補正対象書類名】明細書
【補正対象項目名】００２７
【補正方法】変更
【補正の内容】
【００２７】
そして、前記背景部を、夫々独立して点灯または消灯制御可能な表示領域を有するエレクトロルミネセンス層で構成したり、夫々独立して点灯または消灯制御可能な複数のエレクトロルミネセンス層で構成することで、多彩な発光により図柄の背景部の意匠性や装飾性を一層向上させることができる。また、前記各表示領域またはエレクトロルミネセンス層の夫々を点灯または消灯して、前記発光体で発光表示される図柄の有効組合わせ位置を表示するようにすれば、遊技者が注目する表示部を認識させることができると共に、種々の遊技性を付与することができるので、興趣がより一層向上した遊技を行なうことができるようになる。更に、前記各表示領域またはエレクトロルミネセンス層の夫々を通常の背景部と異なる色で発光させて有効組合わせ位置を表示することで、より一層意匠性や装飾性を向上させると共に、種々の遊技性を付与することができる。
【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】
前面側に所定の入賞口とアウト口を備えてそれぞれ入賞球とアウト球を個別の経路で背面側に導出する遊技盤と、
この遊技盤の背面側にて当該遊技盤の周縁を囲むようにして保持するとともに上記アウト口の背面側下方にて上記アウト球を導入して背面側に導出するアウト球通路を備えた遊技盤取付枠と、
上記遊技盤の背面側に配置されるとともに前面側の開口を同遊技盤の背面にて覆蓋されて樋状に形成される入賞球集合部にて上記遊技盤の背面に導出された入賞球を集合し当該入賞球に応じて賞球を払い出す賞球払出機構と上記アウト球通路から導出されたアウト球を排出するアウト球排出部を備えた機構盤と、
可撓性を有するとともに、上記アウト口側と上記入賞球集合部とを区画しつつ同アウト口を通過したアウト球を上記アウト球通路に導出するガイド板とを具備することを特徴とするパチンコ遊技機。
【請求項２】
前面側に所定の入賞口とアウト口を備えてそれぞれ入賞球とアウト球を個別の経路で背面側に導出する遊技盤と、
この遊技盤の背面側にて当該遊技盤の周縁を囲むようにして保持するとともに上記アウト口の背面側下方にて上記アウト球を導入して背面側に導出するアウト球通路を備えた遊技盤取付枠と、
上記遊技盤の背面側に配置されるとともに前面側の開口を同遊技盤の背面にて覆蓋されて樋状に形成される入賞球集合部にて上記遊技盤の背面に導出された入賞球を集合し当該入賞球に応じて賞球を払い出す賞球払出機構と上記アウト球通路から導出されたアウト球を排出するアウト球排出部を備えた機構盤と、
長穴を有するとともに、上記アウト口側と上記入賞球集合部とを区画しつつ同アウト口を通過したアウト球を上記アウト球通路に導出するガイド板とを具備することを特徴とするパチンコ遊技機。
【手続補正２】
【補正対象書類名】明細書
【補正対象項目名】００１１
【補正方法】変更
【補正の内容】
【００１１】
【課題を解決するための手段】
上記目的を達成するため、請求項１にかかる発明は、前面側に所定の入賞口とアウト口を備えてそれぞれ入賞球とアウト球を個別の経路で背面側に導出する遊技盤と、この遊技盤の背面側にて当該遊技盤の周縁を囲むようにして保持するとともに上記アウト口の背面側下方にて上記アウト球を導入して背面側に導出するアウト球通路を備えた遊技盤取付枠と、上記遊技盤の背面側に配置されるとともに前面側の開口を同遊技盤の背面にて覆蓋されて樋状に形成される入賞球集合部にて上記遊技盤の背面に導出された入賞球を集合し当該入賞球に応じて賞球を払い出す賞球払出機構と上記アウト球通路から導出されたアウト球を排出するアウト球排出部を備えた機構盤と、可撓性を有するとともに、上記アウト口側と上記入賞球集合部とを区画しつつ同アウト口を通過したアウト球を上記アウト球通路に導出するガイド板とを具備する構成としてある。
また、請求項２にかかる発明は、前面側に所定の入賞口とアウト口を備えてそれぞれ入賞球とアウト球を個別の経路で背面側に導出する遊技盤と、この遊技盤の背面側にて当該遊技盤の周縁を囲むようにして保持するとともに上記アウト口の背面側下方にて上記アウト球を導入して背面側に導出するアウト球通路を備えた遊技盤取付枠と、上記遊技盤の背面側に配置されるとともに前面側の開口を同遊技盤の背面にて覆蓋されて樋状に形成される入賞球集合部にて上記遊技盤の背面に導出された入賞球を集合し当該入賞球に応じて賞球を払い出す賞球払出機構と上記アウト球通路から導出されたアウト球を排出するアウト球排出部を備えた機構盤と、長穴を有するとともに、上記アウト口側と上記入賞球集合部とを区画しつつ同アウト口を通過したアウト球を上記アウト球通路に導出するガイド板とを具備する構成としてある。
【手続補正３】
【補正対象書類名】明細書
【補正対象項目名】００１２
【補正方法】変更
【補正の内容】
【００１２】
上記のように構成した請求項１にかかる発明においては、遊技盤の前面側には所定の入賞口が備えられており、入賞球は所定の経路で背面側に導出される。背面側に導出された入賞球は、機構盤の閉盤時に遊技盤の背面に閉蓋されて樋状に形成される入賞球集合部に集合され、この入賞球に応じて賞球払出機構により賞球が払い出される。
一方、アウト球はアウト口を介して遊技盤の背面側に導出される。ガイド板は、遊技盤の背面側に導出されたアウト球を下方へと導出する。ここで下方に導出されたアウト球は、遊技盤の周縁を囲むようにして保持する遊技盤収容取付枠に形成されたアウト球通路に導入され、さらに背面側へと導出された後、機構盤のアウト球排出部を介して外部に排出される。
【手続補正４】
【補正対象書類名】明細書
【補正対象項目名】００１３
【補正方法】変更
【補正の内容】
【００１３】
ここにおいて、ガイド板とはアウト口を通過したアウト球を、アウト口の下方に配置されるアウト球通路に導出することができれば、その形状や材質については特に限定されることはない。例えば、当該ガイド板にて全体として筒状の誘導路を形成してアウト球をアウト球通路へと導出するようにしてもよいし、他の周辺部材と共同してアウト球通路へと導出するものであってもよい。また、ガイド板は、アウト口の周囲を装飾する飾り板と一体に構成してもよいし、別体としてもよい。例えば、所定の係合構造を利用して互いに離脱不能となるように固定されるものであってもよい。さらに、ガイド板に装飾を施し、アウト口を介して視認可能となるようにすれば、面白味も増して好適である。
【手続補正５】
【補正対象書類名】明細書
【補正対象項目名】００１４
【補正方法】変更
【補正の内容】
【００１４】
アウト球排出部の背面側にて球詰まりを起こしてしまうことがあるが、このような場合には機構盤を開放して背面側から球詰まりを解消する。球詰まりを起こしているアウト球は、周辺部材などにより挟持されていることが多く、機構盤を開放しただけでは流れ出るようなことはない。従って、ガイド板を可撓性部材にて構成しておけば、同ガイド板を撓ませて変形させることにより容易に球詰まりを解消することができる。さらに、請求項２のようにガイド板に長穴を形成しておき、マイナスドライバなどを挿入して球詰まりを解消できるようにしておいてもよい。
【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】
識別情報を変動表示可能な可変表示手段と、
遊技媒体の挙動に起因する抽選の結果に基づいて遊技者に有利な特別遊技状態を導出するか否かを判定する判定手段と
を備えた遊技機であって、
前記判定手段にて前記特別遊技状態を導出することが判定された場合には、前記可変表示手段での変動表示を確定的に停止するのに先だって前記特別遊技状態を導出するようにしたことを特徴とする遊技機。
【請求項２】
遊技媒体の挙動に起因して識別情報を変動表示可能な可変表示手段と、
遊技媒体の挙動に起因する抽選の結果に基づいて遊技者に有利な特別遊技状態を導出するか否かを判定する判定手段と、
前記判定手段にて前記特別遊技状態を導出するべく判定された場合には、実際に特別遊技状態を発生させ、かつ、前記可変表示手段において前記識別情報を特定態様で確定停止表示させるよう構成された遊技機であって、
前記可変表示手段において前記識別情報を特定態様で確定停止表示させるのに先だって前記特別遊技状態を導出するようにしたことを特徴とする遊技機。
【請求項３】
遊技媒体の挙動に起因して識別情報を変動表示可能な可変表示手段と、
遊技媒体の挙動に起因する抽選の結果に基づいて遊技者に有利な特別遊技状態を導出するか否かを判定する判定手段と
を備え、前記特別遊技状態終了後に通常モード又はそれよりも価値のある特別モードを付与するべく、遊技モードを決定づけ、その結果を少なくとも前記可変表示手段において導出可能に構成された遊技機において、
前記判定手段にて前記特別遊技状態を付与することが判定された場合には、前記可変表示手段において前記決定づけられた遊技モード結果を導出するのに先だって前記特別遊技状態を導出するようにしたことを特徴とする遊技機。
【請求項４】
遊技媒体の挙動に起因して識別情報を変動表示可能な可変表示手段と、
遊技媒体の挙動に起因する抽選の結果に基づいて遊技者に有利な特別遊技状態を導出するか否かを判定する判定手段と
を備え、前記判定手段にて前記特別遊技状態を導出するべく判定された場合には、実際に特別遊技状態を発生させ、かつ、前記可変表示装置において前記識別情報を特定態様で確定停止表示させるよう構成された遊技機であって、
前記特別遊技状態終了後における遊技モードとして通常モード又はそれよりも価値のある特別モードを付与するべく、遊技モードを決定づけ、その結果を少なくとも前記可変表示手段において確定停止表示された前記識別情報の特定態様の種別に基づいて導出可能に構成され、
前記判定手段にて前記特別遊技状態を付与することが判定された場合には、前記可変表示手段において前記決定づけられた遊技モード結果を導出するのに先だって前記特別遊技状態を導出するようにしたことを特徴とする遊技機。
【請求項５】
遊技媒体の挙動に起因して識別情報を変動表示可能な可変表示手段と、
遊技媒体の挙動に起因する抽選の結果に基づいて遊技者に有利な特別遊技状態を導出するか否かを判定する判定手段と
を備え、前記判定手段にて前記特別遊技状態を導出するべく判定された場合には、実際に特別遊技状態を発生させ、かつ、前記可変表示装置において前記識別情報を特定態様で確定停止表示させるよう構成された遊技機であって、
前記確定停止表示された前記識別情報の特定態様の種別に基づいて、前記特別遊技状態終了後における遊技モードとして通常モード又はそれよりも価値のある特別モードが付与されるよう構成され、
前記判定手段にて前記特別遊技状態を付与することが判定された場合には、前記識別情報が確定停止表示されるのに先だって前記特別遊技状態を導出するようにしたことを特徴とする遊技機。